(57)【要約】【課題】ユーザーが課金装置にチャージして画像形成装置の使用中に、別のユーザーが画像形成装置を割り込み使用する場合に利便性を向上させる。【解決手段】第１のユーザーが、スタートキー４０５を押下すると、第２のユーザー（先に画像形成装置１を使用していたユーザー）を待避ユーザーとして、第２のユーザーの情報（現ユーザー金額、現ユーザーの指紋情報）を待避ユーザー情報記憶部５０５に移動させる（ステップＳ１７）。第１のユーザーがチャージした金額を現ユーザー金額記憶部２３に移動させ、第１のユーザーの指紋情報を現ユーザー指紋情報記憶部５０３に記憶させる（ステップＳ１７）。これにより、第１のユーザーを現ユーザー、すなわち、ジョブが実行された場合に課金されるユーザーにする。【選択図】図４
2015223772.tif 000002
【特許請求の範囲】
【請求項１】
画像を形成するジョブを実行する画像形成装置本体と、
前記画像形成装置本体に前記ジョブを実行させる命令をするための操作キーと、
前記操作キーを押下している指の指紋を読み取り、前記指紋を示す指紋情報を生成する指紋情報生成部と、
任意の金額がチャージされる課金装置と、
前記ジョブが実行された場合に課金されるユーザーを現ユーザーとした場合に、前記現ユーザーが有する金額である現ユーザー金額、及び、前記現ユーザーの前記指紋情報を記憶する現ユーザー情報記憶部と、
前記ジョブが実行された場合に課金されないユーザーを待避ユーザーとした場合に、前記待避ユーザーが有する金額である待避ユーザー金額、及び、前記待避ユーザーの前記指紋情報を記憶する待避ユーザー情報記憶部と、
前記現ユーザー情報記憶部に前記現ユーザー金額及び前記指紋情報が記憶された状態で、第１のユーザーが前記課金装置に前記任意の金額をチャージし、かつ、前記操作キーを押下した場合、前記指紋情報生成部が生成した前記第１のユーザーの前記指紋情報が、前記現ユーザー情報記憶部に記憶されている前記指紋情報と一致するかを判定する指紋情報判定部と、
前記第１のユーザーの前記指紋情報が、前記現ユーザー情報記憶部に記憶されている前記指紋情報と一致しないと判定された場合、前記現ユーザー情報記憶部に記憶されている前記現ユーザー金額と前記指紋情報とを紐付けて、前記待避ユーザー金額及び前記待避ユーザーの前記指紋情報として、前記待避ユーザー情報記憶部に移動させ、前記課金装置にチャージされた前記任意の金額を前記現ユーザー金額として前記現ユーザー情報記憶部に記憶させ、前記第１のユーザーの前記指紋情報を、前記現ユーザーの前記指紋情報として前記現ユーザー情報記憶部に記憶させる第１の処理をする処理部と、
前記第１の処理後、前記現ユーザー情報記憶部に記憶されている前記現ユーザー金額を課金対象として、前記画像形成装置本体に前記ジョブを実行させるジョブ制御部と、を備える画像形成サービスシステム。
【請求項２】
前記指紋情報判定部は、前記現ユーザー情報記憶部に前記現ユーザー金額及び前記現ユーザーの前記指紋情報が記憶され、かつ、前記待避ユーザー情報記憶部に前記待避ユーザー金額及び前記待避ユーザーの前記指紋情報が記憶された状態で、第２のユーザーが前記操作キーを押下した場合、前記指紋情報生成部が生成した前記第２のユーザーの前記指紋情報が、前記現ユーザー情報記憶部に記憶されている前記指紋情報と一致するか、及び、前記待避ユーザー情報記憶部に記憶されている前記指紋情報と一致するかを判定し、
前記処理部は、前記第２のユーザーの前記指紋情報が、前記現ユーザー情報記憶部に記憶されている前記指紋情報と一致しないが、前記待避ユーザー情報記憶部に記憶されている前記指紋情報と一致する判定がされた場合、前記現ユーザー情報記憶部に記憶されている前記現ユーザー金額及び前記指紋情報とを紐付けて、新たな前記待避ユーザー金額及び前記待避ユーザーの前記指紋情報として、前記待避ユーザー情報記憶部に移動させ、前記第２のユーザーの前記指紋情報と一致する前記待避ユーザーの前記指紋情報を前記現ユーザーの前記指紋情報として前記現ユーザー情報記憶部に移動させ、当該指紋情報と紐付けられている前記待避ユーザー金額を前記現ユーザー金額として前記現ユーザー情報記憶部に移動させる第２の処理をし、
前記ジョブ制御部は、前記第２の処理後、前記ユーザー情報記憶部に記憶されている前記現ユーザー金額を課金対象として、前記画像形成装置本体に前記ジョブを実行させる請求項１に記載の画像形成サービスシステム。
【請求項３】
前記処理部は、前記第１の処理において、前記現ユーザーから前記待避ユーザーとなる前記第２のユーザーの前記ジョブの設定を示す設定情報を、前記待避ユーザー情報記憶部に記憶させ、前記第２の処理において、前記待避ユーザーから前記現ユーザーとなる前記第２のユーザーの前記設定情報を前記待避ユーザー情報記憶部から読み出し、
前記ジョブ制御部は、前記第２の処理後、前記処理部が読み出した前記設定情報に従って、前記画像形成装置本体に前記ジョブを実行させる請求項２に記載の画像形成サービスシステム。
【請求項４】
前記処理部は、前記現ユーザー情報記憶部に記憶されている前記現ユーザー金額が０と判断した場合、前記現ユーザー情報記憶部に記憶されている前記現ユーザー金額及び前記現ユーザーの前記指紋情報を消去する請求項１〜３のいずれか一項に記載の画像形成サービスシステム。
【請求項５】
表示部と、
前記表示部に残金の返却ボタンを含む画面を表示させる表示制御部と、
前記返却ボタンが押下され、かつ、前記操作キーが押下される返却操作がされた場合、前記返却操作により前記指紋情報生成部が生成した前記指紋情報が、前記現ユーザー情報記憶部に記憶されている前記指紋情報と一致すれば、前記現ユーザー金額を返却する処理をし、前記返却操作により前記指紋情報生成部が生成した前記指紋情報が、前記待避ユーザー情報記憶部に記憶されている前記指紋情報と一致すれば、当該指紋情報と紐付けられている前記待避ユーザー金額を返却する処理をする返却部と、を備える請求項１〜４のいずれか一項に記載の画像形成サービスシステム。
【請求項６】
画像を形成するジョブを実行する画像形成装置本体と、
前記画像形成装置本体に前記ジョブを実行させる命令をするための操作キーと、
任意の金額がチャージされる課金装置と、
前記操作キーを押下する指の指紋を示す情報を指紋情報とし、複数のユーザーの前記指紋情報が予め登録されている第１の登録部を含む第１の携帯端末と無線通信する無線通信部と、
前記操作キーを押下している指の指紋を読み取り、前記指紋情報を生成する指紋情報生成部と、
前記複数のユーザーの一人である第１のユーザーが前記課金装置に前記任意の金額をチャージし、かつ、前記操作キーを押下した場合、前記無線通信を利用し、前記第１の登録部に登録されている前記複数のユーザーの前記指紋情報の中に、前記指紋情報生成部が生成した前記第１のユーザーの前記指紋情報と一致する前記指紋情報があるか判定する指紋情報判定部と、
前記第１のユーザーの前記指紋情報と一致する前記指紋情報があることが判定された場合、前記任意の金額を前記第１のユーザーが有する金額とし、前記第１のユーザーが有する金額を課金対象とする第１の設定をする設定部と、
前記第１の設定後、前記画像形成装置本体に前記ジョブを実行させるジョブ制御部と、を備え、
前記指紋情報判定部は、前記第１の設定がされた状態で、前記複数のユーザーの一人であり、前記第１ユーザーと異なる第２のユーザーが前記操作キーを押下した場合、前記無線通信を利用し、前記第１の登録部に登録されている前記複数のユーザーの前記指紋情報の中に、前記指紋情報生成部が生成した前記第２のユーザーの前記指紋情報と一致する前記指紋情報があるか判定し、
前記設定部は、前記第２のユーザーの前記指紋情報と一致する前記指紋情報があることが判定された場合、前記第１のユーザーが有する金額を課金対象とする継続設定をし、
前記ジョブ制御部は、前記継続設定後、前記画像形成装置本体に前記ジョブを実行させる画像形成サービスシステム。
【請求項７】
前記設定部は、前記第１の設定がされた状態で、前記第２のユーザーが前記操作キーを押下した場合において、前記無線通信部が前記第１の携帯端末と無線通信できないとき、前記第１のユーザーが有する金額を課金対象とする前記ジョブを禁止する請求項６に記載の画像形成サービスシステム。
【請求項８】
前記第１の携帯端末に加えて、前記複数のユーザー以外のユーザーである第３のユーザーの前記指紋情報が予め登録されている第２の登録部を含む第２の携帯端末が存在しており、
前記指紋情報判定部は、前記第１のユーザーが有する金額が課金対象に設定された状態で、前記第３のユーザーが前記課金装置に前記任意の金額をチャージし、かつ、前記操作キーを押下した場合、前記無線通信部と前記第２の携帯端末との無線通信を利用し、前記第２の登録部に登録されている前記指紋情報が、前記指紋情報生成部が生成した前記第３のユーザーの前記指紋情報と一致するか判定し、
前記設定部は、前記第２の登録部に登録されている前記指紋情報が、前記第３のユーザーの前記指紋情報と一致すると判定された場合、前記第３のユーザーがチャージした前記任意の金額を前記第３のユーザーが有する金額とし、前記第１のユーザーが有する金額の替わりに、前記第３のユーザーが有する金額を課金対象とする第２の設定をし、
前記ジョブ制御部は、前記第２の設定後、前記画像形成装置本体に前記ジョブを実行させる請求項６又は７に記載の画像形成サービスシステム。
【請求項９】
前記ジョブが実行された場合に課金されないユーザーを待避ユーザーとした場合に、前記待避ユーザーが有する金額を記憶する待避ユーザー金額記憶部を備え、
前記設定部は、前記第２の設定をする場合、前記無線通信部が前記第１の携帯端末と無線通信できれば、前記第１のユーザーが有する金額を示す金額情報を、無線通信を利用して前記第１の携帯端末に返却し、前記無線通信部が前記第１の携帯端末と無線通信できなければ、前記第１のユーザーが有する金額を前記待避ユーザーが有する金額として待避ユーザー金額記憶部に移動させる請求項８に記載の画像形成サービスシステム。
【発明の詳細な説明】
【技術分野】
【０００１】
本発明は、ユーザーが課金装置に任意の金額を予めチャージすることにより、コピー等の画像形成ジョブの実行が可能な画像形成サービスシステムに関する。
【背景技術】
【０００２】
従来、この種のシステムとして、例えば、スタートキー兼指紋認証機を含む画像形成装置と、プリペイドカード式の課金装置とを組み合わせて、スタートキーを押下したときに読み取った指紋を利用してセキュリティーを向上させる課金システムが提案されている（例えば、特許文献１参照）。
【先行技術文献】
【特許文献】
【０００３】
【特許文献１】特開２００５−３２７１１６号公報
【発明の概要】
【発明が解決しようとする課題】
【０００４】
ユーザーが課金装置にチャージして画像形成装置を使用しているときに、別のユーザーが画像形成装置を割り込み使用したい状況が生じることがある。例えば、あるユーザーが大量のコピーをしているときに、少量のコピーをしたい別のユーザーが存在する状況である。別のユーザーに割り込みをさせるために、画像形成装置を現在使用しているユーザーに対して、課金装置にチャージされている残金を返却する操作を要求することは、利便性に欠ける。
【０００５】
本発明は、ユーザーが課金装置にチャージして画像形成装置の使用中に、別のユーザーが画像形成装置を割り込み使用する場合に利便性を向上させることができる画像形成サービスシステムを提供することを目的とする。
【課題を解決するための手段】
【０００６】
上記目的を達成する本発明の第１の局面に係る画像形成サービスシステムは、画像を形成するジョブを実行する画像形成装置本体と、前記画像形成装置本体に前記ジョブを実行させる命令をするための操作キーと、前記操作キーを押下している指の指紋を読み取り、前記指紋を示す指紋情報を生成する指紋情報生成部と、任意の金額がチャージされる課金装置と、前記ジョブが実行された場合に課金されるユーザーを現ユーザーとした場合に、前記現ユーザーが有する金額である現ユーザー金額、及び、前記現ユーザーの前記指紋情報を記憶する現ユーザー情報記憶部と、前記ジョブが実行された場合に課金されないユーザーを待避ユーザーとした場合に、前記待避ユーザーが有する金額である待避ユーザー金額、及び、前記待避ユーザーの前記指紋情報を記憶する待避ユーザー情報記憶部と、前記現ユーザー情報記憶部に前記現ユーザー金額及び前記指紋情報が記憶された状態で、第１のユーザーが前記課金装置に前記任意の金額をチャージし、かつ、前記操作キーを押下した場合、前記指紋情報生成部が生成した前記第１のユーザーの前記指紋情報が、前記現ユーザー情報記憶部に記憶されている前記指紋情報と一致するかを判定する指紋情報判定部と、前記第１のユーザーの前記指紋情報が、前記現ユーザー情報記憶部に記憶されている前記指紋情報と一致しないと判定された場合、前記現ユーザー情報記憶部に記憶されている前記現ユーザー金額と前記指紋情報とを紐付けて、前記待避ユーザー金額及び前記待避ユーザーの前記指紋情報として、前記待避ユーザー情報記憶部に移動させ、前記課金装置にチャージされた前記任意の金額を前記現ユーザー金額として前記現ユーザー情報記憶部に記憶させ、前記第１のユーザーの前記指紋情報を、前記現ユーザーの前記指紋情報として前記現ユーザー情報記憶部に記憶させる第１の処理をする処理部と、前記第１の処理後、前記現ユーザー情報記憶部に記憶されている前記現ユーザー金額を課金対象として、前記画像形成装置本体に前記ジョブを実行させるジョブ制御部と、を備える。
【０００７】
第２のユーザーを、画像形成装置を現在使用しているユーザー（現ユーザー）とする。現ユーザーは、ジョブが実行された場合に課金されるユーザーである。第１のユーザーを、画像形成装置１の割り込み使用をするユーザーとする。第１のユーザーが、ジョブを実行するための操作キーを押下すると、第２のユーザーを待避ユーザーとして、第２のユーザーの情報（現ユーザー金額、現ユーザーの指紋情報）を待避ユーザー情報記憶部に移動させる。そして、第１のユーザーがチャージした金額を現ユーザー情報記憶部に記憶させ、第１のユーザーの指紋情報を現ユーザー情報記憶部に記憶させる。これにより、第１のユーザーを現ユーザーにする。よって、第１のユーザーに割り込みをさせるために、第２のユーザーは、残金を返却する操作を必要としない。
【０００８】
以上説明したように、本発明の第１の局面に係る画像形成サービスシステムによれば、ユーザーが課金装置にチャージして画像形成装置を使用中に、別のユーザーが画像形成装置を割り込み使用する場合に利便性を向上させることができる。
【０００９】
上記構成において、前記指紋情報判定部は、前記現ユーザー情報記憶部に前記現ユーザー金額及び前記現ユーザーの前記指紋情報が記憶され、かつ、前記待避ユーザー情報記憶部に前記待避ユーザー金額及び前記待避ユーザーの前記指紋情報が記憶された状態で、第２のユーザーが前記操作キーを押下した場合、前記指紋情報生成部が生成した前記第２のユーザーの前記指紋情報が、前記現ユーザー情報記憶部に記憶されている前記指紋情報と一致するか、及び、前記待避ユーザー情報記憶部に記憶されている前記指紋情報と一致するかを判定し、前記処理部は、前記第２のユーザーの前記指紋情報が、前記現ユーザー情報記憶部に記憶されている前記指紋情報と一致しないが、前記待避ユーザー情報記憶部に記憶されている前記指紋情報と一致する判定がされた場合、前記現ユーザー情報記憶部に記憶されている前記現ユーザー金額及び前記指紋情報とを紐付けて、新たな前記待避ユーザー金額及び前記待避ユーザーの前記指紋情報として、前記待避ユーザー情報記憶部に移動させ、前記第２のユーザーの前記指紋情報と一致する前記待避ユーザーの前記指紋情報を前記現ユーザーの前記指紋情報として前記現ユーザー情報記憶部に移動させ、当該指紋情報と紐付けられている前記待避ユーザー金額を前記現ユーザー金額として前記現ユーザー情報記憶部に移動させる第２の処理をし、前記ジョブ制御部は、前記第２の処理後、前記ユーザー情報記憶部に記憶されている前記現ユーザー金額を課金対象として、前記画像形成装置本体に前記ジョブを実行させる。
【００１０】
この構成によれば、第１のユーザーが割り込みをした後、第２のユーザーが、画像形成装置を再び使用する場合、第２のユーザーが操作キーを押下することによって、第２のユーザーを待避ユーザーから現ユーザーに復帰させることができる。すなわち、第２のユーザーが操作キーを押下すると、待避ユーザー情報記憶部に記憶されている第２のユーザーが有する金額（待避ユーザー金額）を現ユーザー情報記憶部に移動させ、第２のユーザーの指紋情報（待避ユーザーの指紋情報）を現ユーザー情報記憶部に移動させる。これにより、第２のユーザーを現ユーザーにする。よって、先に画像形成装置を使用していたユーザーである第２のユーザーは、課金装置にお金をチャージする操作をすることなく、画像形成装置を再び使用することができる。
【００１１】
上記構成において、前記処理部は、前記第１の処理において、前記現ユーザーから前記待避ユーザーとなる前記第２のユーザーの前記ジョブの設定を示す設定情報を、前記待避ユーザー情報記憶部に記憶させ、前記第２の処理において、前記待避ユーザーから前記現ユーザーとなる前記第２のユーザーの前記設定情報を前記待避ユーザー情報記憶部から読み出し、前記ジョブ制御部は、前記第２の処理後、前記処理部が読み出した前記設定情報に従って、前記画像形成装置本体に前記ジョブを実行させる。
【００１２】
この構成によれば、第１のユーザーの割り込み後、第２のユーザーが画像形成装置を再び使用する場合に、第２のユーザーはジョブの設定を省略することができる。
【００１３】
上記構成において、前記処理部は、前記現ユーザー情報記憶部に記憶されている前記現ユーザー金額が０と判断した場合、前記現ユーザー情報記憶部に記憶されている前記現ユーザー金額及び前記現ユーザーの前記指紋情報を消去する。
【００１４】
この構成によれば、残金が０となったユーザーに関して、そのユーザーが有する金額及び指紋情報が消去される。従って、次のユーザーが課金装置にお金をチャージし、操作キーを押下したとき、残金が０となったユーザーが有する金額及び指紋情報が、待避ユーザー金額及び待避ユーザーの指紋情報として、待避ユーザー情報記憶部に移動されることを防止できる。これにより、待避ユーザー情報記憶部に記憶される情報が無制限に増加することを防止できる。
【００１５】
上記構成において、表示部と、前記表示部に残金の返却ボタンを含む画面を表示させる表示制御部と、前記返却ボタンが押下され、かつ、前記操作キーが押下される返却操作がされた場合、前記返却操作により前記指紋情報生成部が生成した前記指紋情報が、前記現ユーザー情報記憶部に記憶されている前記指紋情報と一致すれば、前記現ユーザー金額を返却する処理をし、前記返却操作により前記指紋情報生成部が生成した前記指紋情報が、前記待避ユーザー情報記憶部に記憶されている前記指紋情報と一致すれば、当該指紋情報と紐付けられている前記待避ユーザー金額を返却する処理をする返却部と、を備える。
【００１６】
この構成によれば、返却ボタンが押下され、かつ、操作キーが押下される操作を残金の返却操作にしている。返却操作により、指紋情報生成部が生成した指紋情報を用いた指紋認証により、残金を返却している。従って、セキュリティーを確保できると共に残金返却専用の指紋情報生成部を設ける必要がない。
【００１７】
本発明の第２の局面に係る画像形成サービスシステムは、画像を形成するジョブを実行する画像形成装置本体と、前記画像形成装置本体に前記ジョブを実行させる命令をするための操作キーと、任意の金額がチャージされる課金装置と、前記操作キーを押下する指の指紋を示す情報を指紋情報とし、複数のユーザーの前記指紋情報が予め登録されている第１の登録部を含む第１の携帯端末と無線通信する無線通信部と、前記操作キーを押下している指の指紋を読み取り、前記指紋情報を生成する指紋情報生成部と、前記複数のユーザーの一人である第１のユーザーが前記課金装置に前記任意の金額をチャージし、かつ、前記操作キーを押下した場合、前記無線通信を利用し、前記第１の登録部に登録されている前記複数のユーザーの前記指紋情報の中に、前記指紋情報生成部が生成した前記第１のユーザーの前記指紋情報と一致する前記指紋情報があるか判定する指紋情報判定部と、前記第１のユーザーの前記指紋情報と一致する前記指紋情報があることが判定された場合、前記任意の金額を前記第１のユーザーが有する金額とし、前記第１のユーザーが有する金額を課金対象とする第１の設定をする設定部と、前記第１の設定後、前記画像形成装置本体に前記ジョブを実行させるジョブ制御部と、を備え、前記指紋情報判定部は、前記第１の設定がされた状態で、前記複数のユーザーの一人であり、前記第１ユーザーと異なる第２のユーザーが前記操作キーを押下した場合、前記無線通信を利用し、前記第１の登録部に登録されている前記複数のユーザーの前記指紋情報の中に、前記指紋情報生成部が生成した前記第２のユーザーの前記指紋情報と一致する前記指紋情報があるか判定し、前記設定部は、前記第２のユーザーの前記指紋情報と一致する前記指紋情報があることが判定された場合、前記第１のユーザーが有する金額を課金対象とする継続設定をし、前記ジョブ制御部は、前記継続設定後、前記画像形成装置本体に前記ジョブを実行させる。
【００１８】
本発明の第２の局面に係る画像形成サービスシステムでは、第１のユーザーが有する金額を課金対象とする第１の設定をした状態の場合、同じ携帯端末に指紋登録されている第２のユーザーについては、第１のユーザーが有する金額を課金対象として、画像形成装置の割り込み使用をすることができる。よって、第２のユーザーは、課金装置にお金をチャージする操作をすることなく、画像形成装置を割り込み使用することができる。このように、本発明の第２の局面に係る画像形成サービスシステムによれば、ユーザーが課金装置にチャージして画像形成装置の使用中に、別のユーザーが画像形成装置を割り込み使用する場合に利便性を向上させることができる。
【００１９】
上記構成において、前記設定部は、前記第１の設定がされた状態で、前記第２のユーザーが前記操作キーを押下した場合において、前記無線通信部が前記第１の携帯端末と無線通信できないとき、前記第１のユーザーが有する金額を課金対象とする。
【００２０】
この構成によれば、無線通信部が第１の携帯端末と無線通信できないとき、すなわち、第１の携帯端末を持っている第１のユーザーが画像形成装置から離れたとき、第２のユーザーは、第１のユーザーが有する金額を課金対象として画像形成装置を使用することができない。例えば、第１のユーザーが親で、第２のユーザーが子の場合、親の目が届かない範囲で、子が画像形成装置を勝手に使用することを防止できる。
【００２１】
上記構成において、前記第１の携帯端末に加えて、前記複数のユーザー以外のユーザーである第３のユーザーの前記指紋情報が予め登録されている第２の登録部を含む第２の携帯端末が存在しており、前記指紋情報判定部は、前記第１のユーザーが有する金額が課金対象に設定された状態で、前記第３のユーザーが前記課金装置に前記任意の金額をチャージし、かつ、前記操作キーを押下した場合、前記無線通信部と前記第２の携帯端末との無線通信を利用し、前記第２の登録部に登録されている前記指紋情報が、前記指紋情報生成部が生成した前記第３のユーザーの前記指紋情報と一致するか判定し、前記設定部は、前記第２の登録部に登録されている前記指紋情報が、前記第３のユーザーの前記指紋情報と一致すると判定された場合、前記第３のユーザーがチャージした前記任意の金額を前記第３のユーザーが有する金額とし、前記第１のユーザーが有する金額の替わりに、前記第３のユーザーが有する金額を課金対象とする第２の設定をし、前記ジョブ制御部は、前記第２の設定後、前記画像形成装置本体に前記ジョブを実行させる。
【００２２】
この構成によれば、第１のユーザー及び第２のユーザーが指紋登録をしている携帯端末（第１の携帯端末）と別の携帯端末（第２の携帯端末）に指紋登録をしている第３のユーザーは、第１のユーザー又は第２のユーザーが画像形成装置の使用中に、画像形成装置を割り込み使用することができる。
【００２３】
上記構成において、前記ジョブが実行された場合に課金されないユーザーを待避ユーザーとした場合に、前記待避ユーザーが有する金額を記憶する待避ユーザー金額記憶部を備え、前記設定部は、前記第２の設定をする場合、前記無線通信部が前記第１の携帯端末と無線通信できれば、前記第１のユーザーが有する金額を示す金額情報を、無線通信を利用して前記第１の携帯端末に返却し、前記無線通信部が前記第１の携帯端末と無線通信できなければ、前記第１のユーザーが有する金額を前記待避ユーザーが有する金額として待避ユーザー金額記憶部に移動させる。
【００２４】
この構成によれば、第３のユーザーが、第１のユーザー又は第２のユーザーが画像形成装置の使用中に割り込む場合、無線通信部が第１の携帯端末と無線通信できれば、第１のユーザーが有する金額を示す金額情報を、待避ユーザー金額記憶部に移動せずに、第１の携帯端末に返却する。このように、第３のユーザーが、第１のユーザー又は第２のユーザーが画像形成装置の使用中に割り込む場合、一律に、第１のユーザーが有する金額を示す金額情報を待避ユーザー金額記憶部に移動させない。無線通信部が第１の携帯端末と無線通信できない場合に、第１のユーザーが有する金額を待避ユーザー金額記憶部に移動させるので、待避ユーザー金額記憶部の容量を小さくすることができる。
【発明の効果】
【００２５】
本発明によれば、ユーザーが課金装置にチャージして画像形成装置の使用中に、別のユーザーが画像形成装置を割り込み使用する場合に利便性を向上させることができる。
【図面の簡単な説明】
【００２６】
【図１】本発明の実施形態に適用される画像形成装置の内部構造の概略を示す模式図である。
【図２】図１に示す画像形成装置の構成を示すブロック図である。
【図３】スタートキーの平面図である。
【図４】第１実施形態に係る画像形成サービスシステムを示す模式図である。
【図５】第１実施形態に係る画像形成サービスシステムの動作を説明するフローチャートである（その１）。
【図６】第１実施形態に係る画像形成サービスシステムの動作を説明するフローチャートである（その２）。
【図７】第２実施形態に係る画像形成サービスシステムに適用される画像形成装置の構成を示すブロック図である。
【図８】第２実施形態に係る画像形成サービスシステムを示す模式図である。
【図９】第２実施形態に係る画像形成サービスシステムの動作を説明するフローチャートである（その１）。
【図１０】第２実施形態に係る画像形成サービスシステムの動作を説明するフローチャートである（その２）。
【図１１】第２実施形態に係る画像形成サービスシステムの動作を説明するフローチャートである（その３）。
【発明を実施するための形態】
【００２７】
以下、図面に基づいて本発明の実施形態を詳細に説明する。図１は、本発明の実施形態に適用される画像形成装置１の内部構造の概略を示す模式図である。画像形成装置１は、例えば、コピー、プリンター、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００及び装置本体１００の上部前面に配置された操作部４００を備える。
【００２８】
原稿給送部３００は、自動原稿送り装置として機能し、原稿載置部３０１に置かれた複数枚の原稿を連続的に原稿読取部２００で読み取ることができるように送ることができる。
【００２９】
原稿読取部２００は、露光ランプ等を搭載したキャリッジ２０１、ガラス等の透明部材により構成された原稿台２０３、不図示のＣＣＤ（Charge Coupled Device）センサー、及び、原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００３０】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００３１】
画像形成部１０３は、搬送されてきた用紙にトナー像を形成する。画像形成部１０３は、感光体ドラム１１３、露光部１１５、現像部１１７及び転写部１１９を備える。露光部１１５は、画像データ（原稿読取部２００から出力された画像データ、パソコンから送信された画像データ、ファクシミリ受信の画像データ等）に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００３２】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００３３】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００３４】
操作キー部４０１には、ハードキーからなる操作キーが設けられている。具体的には、スタートキー４０５、テンキー４０７、ストップキー４０９、リセットキー４１１、コピー、プリンター、スキャナー及びファクシミリを切り換えるための機能切換キー４１３等が設けられている。
【００３５】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００３６】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３７】
図２は、図１に示す画像形成装置１の構成を示すブロック図である。画像形成装置１は、装置本体１００（画像形成装置本体の一例）、原稿読取部２００、原稿給送部３００、操作部４００、制御部５００及び、通信部６００がバスによって相互に接続された構成を有する。装置本体１００、原稿読取部２００、原稿給送部３００及び操作部４００に関しては既に説明したので、説明を省略する。
【００３８】
制御部５００は、ＣＰＵ（Central Processing Unit）、ＲＯＭ（Read Only Memory）、ＲＡＭ（Random Access Memory）、及び、画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ(原稿読取部２００から出力された画像データ、パソコンから送信された画像データ、ファクシミリ受信の画像データ等)を一時的に記憶する。
【００３９】
制御部５００は、機能ブロックとして、表示制御部５０１、現ユーザー情報記憶部５０３、待避ユーザー情報記憶部５０５、指紋情報判定部５０７、処理部５０９、及び、ジョブ制御部５１１を備える。これらのブロックの詳細は後で説明する。
【００４０】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）、及び、ファクシミリ通信用の信号を変復調する変復調回路を備える。ファクシミリ通信部６０１は、電話回線６０５に接続される。
【００４１】
ネットワークＩ／Ｆ部６０３は、ＬＡＮ（Local Area Network）６０７に接続される。ネットワークＩ／Ｆ部６０３は、ＬＡＮ６０７に接続されたパソコン等の端末装置との間で通信を実行するための通信インターフェイス回路である。
【００４２】
図３は、スタートキー４０５の平面図である。スタートキー４０５は、画像形成装置本体である装置本体１００に、画像を形成するジョブを実行させる命令をするための操作キーである。ジョブとは、例えば、コピージョブ、ＵＳＢメモリー等の携帯記憶装置に記憶された画像データで示す画像を印刷するジョブである。
【００４３】
スタートキー４０５は、透明な窓部である押下面４０５ａを有する。押下面４０５ａは、ユーザーがスタートキー４０５を押下するときに、ユーザーの指と接触する面である。
【００４４】
指紋情報生成部４１５は、押下面４０５ａの下方に押下面４０５ａと対向して、操作部４００に設置されている。指紋情報生成部４１５は、指紋センサーであり、スタートキー４０５を押下している指の指紋を読み取り、指紋を示す指紋情報を生成する。
【００４５】
本実施形態には、第１実施形態と第２実施形態とがある。第１実施形態から説明する。図４は、第１実施形態に係る画像形成サービスシステム３を示す模式図である。
【００４６】
画像形成サービスシステム３は、図１及び図２で説明した画像形成装置１と課金装置２０とを備える。ユーザーが課金装置２０に任意の金額を予めチャージすることにより、装置本体１００（画像形成装置本体）によるジョブの実行が可能となる。
【００４７】
課金装置２０は、チャージ金額記憶部２１、現ユーザー金額記憶部２３、金額更新部２５、及び、返却部２７を備える。ジョブが実行された場合に課金されるユーザーを現ユーザーとする。
【００４８】
チャージ金額記憶部２１は、チャージされた金額を記憶する。現ユーザー金額記憶部２３は、現ユーザーが有する金額である現ユーザー金額を記憶する。現ユーザー金額記憶部２３は、現ユーザー情報記憶部を構成する要素である。金額更新部２５は、ジョブが実行されたとき、現ユーザー金額からジョブが実行されることによる課金額を引いて現ユーザー金額を更新する。返却部２７は、ユーザーが残金を返却する操作をすると、指紋認証を利用して、そのユーザーについての残金を返却する。
【００４９】
図２に示す制御部５００の機能ブロックについて説明する。表示制御部５０１は、画像形成装置１を操作するための操作画面を、表示部４０３に表示する制御をする。
【００５０】
現ユーザー指紋情報記憶部５０３は、現ユーザーの指紋情報を記憶する。現ユーザー指紋情報記憶部５０３は、現ユーザー情報記憶部を構成する要素である。
【００５１】
待避ユーザー情報記憶部５０５は、待避ユーザーが有する金額である待避ユーザー金額、及び、待避ユーザーの指紋情報を記憶する。待避ユーザーとは、ジョブが実行された場合に課金されないユーザーである。
【００５２】
指紋情報判定部５０７は、図３の指紋情報生成部４１５が生成した指紋情報が、現ユーザー指紋情報記憶部５０３に記憶されている指紋情報と一致するかを判定し、さらに、指紋情報生成部４１５が生成した指紋情報が、待避ユーザー情報記憶部５０５に記憶されている指紋情報と一致するかを判定する。
【００５３】
処理部５０９は、指紋情報判定部５０７の判定結果に基づいて、所定の処理をする。所定の処理については、後で説明する。
【００５４】
ジョブ制御部５１１は、現ユーザー金額記憶部２３に記憶されている現ユーザー金額を課金対象として、装置本体１００（画像形成装置本体）にジョブを実行させる。
【００５５】
現ユーザー指紋情報記憶部５０３、待避ユーザー情報記憶部５０５、指紋情報判定部５０７、及び、処理部５０９が、画像形成装置１に備えられているが、これらを課金装置２０に備える態様も可能である。現ユーザー指紋情報記憶部５０３と図４の現ユーザー金額記憶部２３とを一つにして、現ユーザー情報記憶部にしてもよい。
【００５６】
第１実施形態に係る画像形成サービスシステム３の動作を説明する。図５及び図６は、その動作を説明するフローチャートである。第２のユーザーを、画像形成装置１を現在使用しているユーザー（現ユーザー）とする。第１のユーザーを、画像形成装置１の割り込み使用をするユーザーとする。
【００５７】
画像形成サービスシステム３の動作について、（１）第２のユーザーが画像形成装置１を使用する場合、（２）第２のユーザーが画像形成装置１の使用中に、第１のユーザーが画像形成装置１を割り込み使用する場合、（３）第１のユーザーが画像形成装置１を割り込み使用した後、第２のユーザーが再び画像形成装置１を使用する場合に分けて説明する。
【００５８】
まず、第２のユーザーが画像形成装置１を使用する場合を説明する。図２の処理部５０９は、図４の課金装置２０に任意の金額がチャージされたか判断する（ステップＳ１）。ここでは、第２のユーザーが課金装置２０に任意の金額をチャージする。課金方式が現金であれば、課金装置２０の現金投入口から課金装置２０に現金を投入することにより、課金装置２０に任意の金額をチャージすることができる。課金方式がプリペイカードであれば、課金装置２０のカード挿入口から課金装置２０にプリペイカードを挿入することにより、課金装置２０に任意の金額をチャージすることができる。課金方式が電子貨幣であれば、課金装置２０の電子貨幣読取部によって、電子貨幣が読み取られることにより、課金装置２０に任意の金額をチャージすることができる。
【００５９】
処理部５０９が、課金装置２０に任意の金額がチャージされていないと判断した場合（ステップＳ１でＮｏ）、ステップＳ１の処理が繰り返される。
【００６０】
処理部５０９が、課金装置２０に任意の金額がチャージされたと判断した場合（ステップＳ１でＹｅｓ）、処理部５０９は、課金装置２０にチャージされた金額を、図４のチャージ金額記憶部２１に記憶させる（ステップＳ２）。
【００６１】
ステップＳ２の後、図２のジョブ制御部５１１は、ジョブの実行に必要な設定（用紙サイズ、印刷枚数等）がされた状態で、図３のスタートキー４０５が押下されたか判断する（ステップＳ３）。ここでは、第２のユーザーがスタートキー４０５を押下する。
【００６２】
ジョブ制御部５１１が、スタートキー４０５が押下されていないと判断した場合（ステップＳ３でＮｏ）、ステップＳ３の処理が繰り返される。
【００６３】
ジョブ制御部５１１が、スタートキー４０５が押下されたと判断した場合（ステップＳ３でＹｅｓ）、図３の指紋情報生成部４１５は、スタートキー４０５を押下した指の指紋を読み取り、その指紋を示す指紋情報を生成する（ステップＳ４）。ここでは、第２のユーザーの指紋を示す指紋情報が生成される。
【００６４】
ジョブ制御部５１１は、画像形成装置１がログイン状態か判断する（ステップＳ５）。ログイン状態とは、ステップＳ１より前に既に課金装置２０にお金がチャージされた状態である。例えば、第２のユーザーが課金装置２０にお金をチャージして、ジョブが実行された後、第２のユーザーが課金装置２０にお金を追加してチャージしたとき、ログイン状態と判断される。また、例えば、第２のユーザーが課金装置２０にお金をチャージして、ジョブが実行された後、第１のユーザーが割り込みをするために、第１のユーザーが課金装置２０にお金をチャージしたとき、ログイン状態と判定される。ここでは、画像形成装置１がログイン状態でない場合、すなわち、課金装置２０にお金がチャージされていない状態で、ステップＳ１で第２のユーザーが任意の金額をチャージした場合で説明する。
【００６５】
ジョブ制御部５１１が、画像形成装置１がログイン状態でないと判断し（ステップＳ５でＮｏ）、処理部５０９は、ステップＳ２でチャージ金額記憶部２１に記憶されたチャージ金額を、現ユーザーが有する金額である現ユーザー金額として、図４の現ユーザー金額記憶部２３（現ユーザー情報記憶部の構成要素の一例）に記憶させる（ステップＳ６）。また、処理部５０９は、ステップＳ４で生成された指紋情報を、現ユーザーの指紋情報として、図２の現ユーザー指紋情報記憶部５０３（現ユーザー情報記憶部の構成要素の一例）に記憶させる（ステップＳ６）。現ユーザーとは、ジョブが実行された場合に課金されるユーザーである。ここでは、第２のユーザーが現ユーザーとなる。
【００６６】
ジョブ制御部５１１は、現ユーザー金額記憶部２３に記憶されている現ユーザー金額が、ステップＳ３で命令したジョブを実行することによる課金額以上であるか判断する（ステップＳ７）。
【００６７】
ジョブ制御部５１１が、現ユーザー金額が課金額以上と判断した場合（ステップＳ７でＹｅｓ）、ジョブ制御部５１１は、画像形成装置本体である装置本体１００にジョブを実行させる（ステップＳ８）。
【００６８】
ジョブが実行されると、図４の金額更新部２５は、現ユーザー金額からジョブが実行されることによる課金額を引いて現ユーザー金額を更新する（ステップＳ９）。例えば、現ユーザー金額が１００円の状態で、課金額が３０円のコピーをした場合、現ユーザー金額は、７０円に更新される。
【００６９】
処理部５０９は、現ユーザー金額が０であるか判断する（ステップＳ１０）。
【００７０】
処理部５０９が、現ユーザー金額が０でないと判断した場合（ステップＳ１０でＮｏ）、第２のユーザーは、課金装置２０にお金を追加してチャージせず、次のコピーをするか否を決定する（ステップＳ１９）。第２のユーザーが、課金装置２０にお金を追加してチャージせずに、次のコピーをすることを決定した場合（ステップＳ１９でＮｏ）、ステップＳ３に戻る。すなわち、第２のユーザーが画像形成装置１に続けてジョブを実行させる場合、ステップＳ３に戻る。第２のユーザーが、課金装置２０にお金を追加してチャージして、次のコピーをすることを決定した場合（ステップＳ１９でＹｅｓ）、ステップＳ１に戻る。
【００７１】
第２のユーザーが、スタートキー４０５を押下することにより（ステップＳ３でＹｅｓ）、指紋情報生成部４１５は、第２のユーザーの指紋情報を生成する（ステップＳ４）。ここでの指紋情報を直近の指紋情報とする。
【００７２】
第２のユーザーが課金装置２０にお金をチャージした状態なので、ジョブ制御部５１１は、画像形成装置１がログイン状態と判断する（ステップＳ５でＹｅｓ）。
【００７３】
図２の指紋情報判定部５０７は、上記直近の指紋情報（ステップＳ４の指紋情報）が、現ユーザー指紋情報記憶部５０３に記憶されている現ユーザーの指紋情報と一致するか判定する（ステップＳ１３）。ここでの現ユーザーの指紋情報とは、第２のユーザーがスタートキー４０５を最初に押下したときに指紋情報生成部４１５により生成された指紋情報である（ステップＳ６）。
【００７４】
直近の指紋情報は、第２のユーザーの指紋情報なので、指紋情報判定部５０７は、直近の指紋情報が現ユーザーの指紋情報と一致すると判定する（ステップＳ１３でＹｅｓ）。
【００７５】
図４の金額更新部２５は、現ユーザー金額を更新する必要があるか判断する（ステップＳ１４）。ステップＳ１０からステップＳ３に移行すれば、現ユーザー金額を更新する必要がないと判断される。これに対して、ステップＳ１０からステップＳ１に移行し、ステップＳ１でＹｅｓとなれば、現ユーザー金額を更新する必要があると判断される。
【００７６】
金額更新部２５は、現ユーザー金額を更新する必要があると判断した場合（ステップＳ１４でＹｅｓ）、金額更新部２５は、現ユーザー金額を更新する（ステップＳ１５）。例えば、現ユーザー金額が７０円の状態で、５０円を課金装置２０に追加してチャージすれば、現ユーザー金額が１２０円に更新される。
【００７７】
ステップＳ１５の後、又は、ステップＳ１４でＮｏの場合、ステップＳ７に移行する。ジョブ制御部５１１が、現ユーザー金額記憶部２３に記憶されている現ユーザー金額が、ステップＳ３で命令したジョブを実行することによる課金額より少ないと判断した場合（ステップＳ１５でＮｏ）、ステップＳ１へ戻る。例えば、現ユーザー金額が７０円の状態で、課金額が１００円のジョブを実行する命令がされた場合、ジョブ制御部５１１は、現ユーザー金額が課金額より少ないと判断する。
【００７８】
ジョブ制御部５１１が、現ユーザー金額が課金額以上と判断した場合（ステップＳ７でＹｅｓ）、ステップＳ８へ移行する。
【００７９】
以上のようにして、第２のユーザーは、画像形成装置１を使用することができる。
【００８０】
次に、第２のユーザーが画像形成装置１の使用中に、第１のユーザーが画像形成装置１を割り込み使用する場合について説明する。第２のユーザーが画像形成装置１の使用中、すなわち、図４の課金装置２０に第２のユーザーのお金がチャージされた状態（画像形成装置１がログイン状態）で、図２の処理部５０９は、課金装置２０に任意の金額がチャージされたか判断する（ステップＳ１）である。
【００８１】
処理部５０９が、課金装置２０に任意の金額がチャージされたと判断した場合（ステップＳ１でＹｅｓ）、処理部５０９は、課金装置２０にチャージされた金額をチャージ金額記憶部２１に記憶させる（ステップＳ２）。ここでは、第１のユーザーが課金装置２０にチャージした金額が記憶される。
【００８２】
ジョブ制御部５１１は、ジョブの実行に必要な設定（用紙サイズ、印刷枚数等）がされた状態で、スタートキー４０５が押下されたと判断した場合（ステップＳ３でＹｅｓ）、指紋情報生成部４１５は、スタートキー４０５を押下した指の指紋を読み取り、その指紋を示す指紋情報を生成する（ステップＳ４）。ここでは、第１のユーザーの指紋を示す指紋情報が生成される。
【００８３】
ジョブ制御部５１１は、画像形成装置１がログイン状態か判断する（ステップＳ５）。ログイン状態とは、上述したように、ステップＳ１より前に既に課金装置２０にお金がチャージされた状態である。ここでは、課金装置２０には、第２のユーザーのお金がチャージされているので、ジョブ制御部５１１は、画像形成装置１がログイン状態と判断する（ステップＳ５でＹｅｓ）。
【００８４】
指紋情報判定部５０７は、直近の指紋情報（ステップＳ４の第１のユーザーの指紋情報）が、現ユーザー指紋情報記憶部５０３に記憶されている現ユーザーの指紋情報と一致するか判定する（ステップＳ１３）。ここでの現ユーザーの指紋情報とは、第２のユーザーの指紋情報である。従って、指紋情報判定部５０７は、直近の指紋情報が現ユーザーの指紋情報と一致しないと判定する（ステップＳ１３でＮｏ）。
【００８５】
指紋情報判定部５０７は、直近の指紋情報（ステップＳ４の第１のユーザーの指紋情報）が、図２の待避ユーザー情報記憶部５０５に記憶されている待避ユーザーの指紋情報と一致するか判定する（ステップＳ１６）。待避ユーザーは、ジョブが実行された場合に課金されないユーザーである。第１のユーザーが割り込みをした場合、第１のユーザーが現ユーザーとなり、第２のユーザーが待避ユーザーとなる。現時点では、待避ユーザーが存在しないとして説明する。従って、指紋情報判定部５０７は、直近の指紋情報が、待避ユーザー情報記憶部５０５に記憶されている待避ユーザーの指紋情報と一致しないと判定する（ステップＳ１６でＮｏ）。
【００８６】
処理部５０９は、図４の現ユーザー金額記憶部２３（現ユーザー情報記憶部の構成要素の一例）に記憶されている現ユーザー金額と図２の現ユーザー指紋情報記憶部５０３（現ユーザー情報記憶部の構成要素の一例）に記憶されている現ユーザーの指紋情報とを紐付けて、待避ユーザー金額及び待避ユーザーの指紋情報として、図２の待避ユーザー情報記憶部５０５に移動させる（ステップＳ１７）。第２のユーザーが待避ユーザーとなるので、現ユーザー金額は、第２のユーザーが有する金額である。現ユーザーの指紋情報は、第２のユーザーの指紋情報である。
【００８７】
また、処理部５０９は、ステップＳ２のチャージ金額記憶部２１に記憶されているチャージ金額を現ユーザー金額として現ユーザー金額記憶部２３に記憶させ、ステップＳ４の第１のユーザーの指紋情報を、現ユーザー指紋情報記憶部５０３に記憶させる（ステップＳ１７）。ここでのチャージ金額は、第１のユーザーが課金装置２０にチャージした金額である。
【００８８】
ステップＳ１７からステップＳ７へ移行する。これにより、第１のユーザーは、画像形成装置１の割り込み使用をすることができる。
【００８９】
以上のように、指紋情報判定部５０７は、現ユーザー金額記憶部２３（現ユーザー情報記憶部の構成要素の一例）に現ユーザー金額が記憶され、かつ、現ユーザー指紋情報記憶部５０３（現ユーザー情報記憶部の構成要素の一例）に指紋情報が記憶された状態で、第１のユーザーが課金装置２０に任意の金額をチャージし（ステップＳ１でＹｅｓ）、かつ、スタートキー４０５を押下した場合（ステップＳ３でＹｅｓ）、ステップＳ４で指紋情報生成部４１５が生成した第１のユーザーの指紋情報が、現ユーザー指紋情報記憶部５０３に記憶されている指紋情報と一致するかを判定する（ステップＳ１３）。
【００９０】
そして、指紋情報判定部５０７が、一致しない判定した場合（ステップＳ１３でＮｏ）、指紋情報判定部５０７は、ステップＳ４で指紋情報生成部４１５が生成した第１のユーザーの指紋情報が、待避ユーザー情報記憶部５０５に記憶されている指紋情報と一致するかを判定する（ステップＳ１６）。一致しないと判定された場合（ステップＳ１６でＮｏ）、処理部５０９は、ステップＳ１７の処理（第１の処理）をする。
【００９１】
ステップＳ１７の処理（第１の処理）後、ジョブ制御部５１１は、ユーザー金額記憶部に記憶されている現ユーザー金額を課金対象として、装置本体１００にジョブを実行させる（ステップＳ７、ステップＳ８）。
【００９２】
このように、第１実施形態によれば、第１のユーザーが、スタートキー４０５を押下すると、現ユーザーである第２のユーザーを待避ユーザーとして、第２のユーザーの情報（現ユーザー金額、現ユーザーの指紋情報）を待避ユーザー情報記憶部５０５に移動させる（ステップＳ１７）。そして、第１のユーザーがチャージした金額を現ユーザー金額記憶部２３（現ユーザー情報記憶部の構成要素の一例）に移動させ、第１のユーザーの指紋情報を現ユーザー指紋情報記憶部５０３（現ユーザー情報記憶部の構成要素の一例）に記憶させる（ステップＳ１７）。これにより、第１のユーザーを現ユーザーにする。よって、第１のユーザーに割り込みをさせるために、第２のユーザーは、残金を返却する操作を必要としない。
【００９３】
以上説明したように、第１実施形態に係る画像形成サービスシステム３によれば、ユーザーが課金装置２０にチャージして画像形成装置１を使用中に、別のユーザーが画像形成装置１を割り込み使用する場合に利便性を向上させることができる。
【００９４】
また、第１実施形態に係る画像形成サービスシステム３によれば、現ユーザーであるか、待避ユーザーであるかを指紋認証で判断するので（ステップＳ１３、ステップＳ１６）、なりすましを防止することができる。
【００９５】
次に、第１のユーザーが画像形成装置１を割り込み使用した後、第２のユーザーが再び画像形成装置１を使用する場合について説明する。第２のユーザーがジョブに必要な設定をした後、図３のスタートキー４０５を押下すると、ジョブ制御部５１１は、スタートキー４０５が押下されたと判断する（ステップＳ３でＹｅｓ）。
【００９６】
図３の指紋情報生成部４１５は、スタートキー４０５を押下した指の指紋を読み取り、その指紋を示す指紋情報を生成する（ステップＳ４）。ここでは、第２のユーザーの指紋を示す指紋情報が生成される。
【００９７】
ジョブ制御部５１１は、画像形成装置１がログイン状態か判断する（ステップＳ５）。課金装置２０には、第２のユーザーのお金が既にチャージされているので、ジョブ制御部５１１は、画像形成装置１がログイン状態と判断する（ステップＳ５でＹｅｓ）。
【００９８】
指紋情報判定部５０７は、直近の指紋情報（ステップＳ４の第２のユーザーの指紋情報）が、現ユーザー指紋情報記憶部５０３に記憶されている現ユーザーの指紋情報と一致するか判定する（ステップＳ１３）。ここでの現ユーザーの指紋情報とは、第１のユーザーの指紋情報である。従って、指紋情報判定部５０７は、直近の指紋情報が現ユーザーの指紋情報と一致しないと判定する（ステップＳ１３でＮｏ）。
【００９９】
指紋情報判定部５０７は、直近の指紋情報（ステップＳ４の第２のユーザーの指紋情報）が、待避ユーザー情報記憶部５０５に記憶されている待避ユーザーの指紋情報と一致するか判定する（ステップＳ１６）。ここでは、第２のユーザーの指紋情報が待避ユーザーの指紋情報として記憶されている。従って、指紋情報判定部５０７は、直近の指紋情報が、待避ユーザー情報記憶部５０５に記憶されている待避ユーザーの指紋情報と一致すると判定する（ステップＳ１６でＹｅｓ）。
【０１００】
処理部５０９は、現ユーザー金額記憶部２３に記憶されている現ユーザー金額と現ユーザー指紋情報記憶部５０３に記憶されている現ユーザーの指紋情報とを紐付けて、新たな待避ユーザー金額及び待避ユーザーの指紋情報として、待避ユーザー情報記憶部５０５に移動させる（ステップＳ１８）。ここでの現ユーザー金額は、第１のユーザーが有する金額である。現ユーザーの指紋情報は、第１のユーザーの指紋情報である。
【０１０１】
また、処理部５０９は、待避ユーザー情報記憶部５０５に記憶されている待避ユーザー金額を、現ユーザー金額として現ユーザー金額記憶部２３に移動させ、この待避ユーザー金額と紐付けられている待避ユーザーの指紋情報を、現ユーザーの指紋情報として現ユーザー指紋情報記憶部５０３に移動させる（ステップＳ１８）。ここでの待避ユーザー金額は、第２のユーザーが有する金額である。待避ユーザーの指紋情報とは、第２のユーザーの指紋情報である。
【０１０２】
ステップＳ１８からステップＳ７へ移行する。これにより、第２のユーザーは、画像形成装置１を再び使用することができる。
【０１０３】
以上説明したように、指紋情報判定部５０７は、現ユーザー金額記憶部２３に現ユーザー金額が記憶され、かつ、現ユーザー指紋情報記憶部５０３に指紋情報が記憶され、かつ、待避ユーザー情報記憶部５０５に待避ユーザー金額及び待避ユーザーの指紋情報が記憶された状態で、第２のユーザーがスタートキー４０５を押下した場合（ステップＳ３でＹｅｓ）、ステップＳ４で指紋情報生成部４１５が生成した第２のユーザーの指紋情報が、現ユーザー指紋情報記憶部５０３に記憶されている指紋情報と一致するか（ステップＳ１３）、及び、待避ユーザー情報記憶部５０５に記憶されている指紋情報と一致するかを判定する（ステップＳ１６）。
【０１０４】
第２のユーザーの指紋情報が、現ユーザー指紋情報記憶部５０３に記憶されている指紋情報と一致しないが（ステップＳ１３でＮｏ）、待避ユーザー情報記憶部５０５に記憶されている指紋情報と一致する判定がされた場合（ステップＳ１６でＹｅｓ）、処理部５０９は、ステップＳ１８の処理（第２の処理）をする。
【０１０５】
ステップＳ１８の処理（第２の処理）後、ジョブ制御部５１１は、ユーザー金額記憶部に記憶されている現ユーザー金額を課金対象として、装置本体１００にジョブを実行させる（ステップＳ７、ステップＳ８）。
【０１０６】
このように、第１実施形態によれば、第１のユーザーが割り込みをした後、第２のユーザーが、画像形成装置１を再び使用する場合、第２のユーザーがスタートキー４０５を押下することによって、第２のユーザーを待避ユーザーから現ユーザーに復帰させることができる。すなわち、第２のユーザーがスタートキー４０５を押下すると、待避ユーザー情報記憶部５０５に記憶されている第２のユーザーが有する金額（待避ユーザー金額）を現ユーザー金額記憶部２３に移動させ、第２のユーザーの指紋情報（待避ユーザーの指紋情報）を現ユーザー指紋情報記憶部５０３に移動させる。これにより、第２のユーザーを現ユーザーにする。よって、先に画像形成装置１を使用していたユーザーである第２のユーザーは、課金装置２０にお金をチャージする操作をすることなく、画像形成装置１を再び使用することができる。
【０１０７】
また、第１実施形態によれば、現ユーザーであるか、待避ユーザーであるかを指紋認証で判断するので（ステップＳ１３、ステップＳ１６）、なりすましを防止することができる。
【０１０８】
なお、図２の処理部５０９は、ステップＳ１７において、現ユーザーである第２のユーザーを待避ユーザーとして、第２のユーザーが有する金額と第２のユーザーの指紋情報とを紐付けて、待避ユーザー情報記憶部５０５に移動させる際に、以下の処理をすることができる。
【０１０９】
処理部５０９は、現ユーザーである第２のユーザーが行ったジョブの設定情報（用紙サイズ、印刷枚数等）やジョブの対象となるスキャンデータを、ステップＳ１７の処理（第１の処理）において、第２のユーザーが有する金額及び第２のユーザーの指紋情報と紐付けて、待避ユーザー情報記憶部５０５に移動させる。そして、待避ユーザーである第２のユーザーが画像形成装置１を再び使用するために、スタートキー４０５を押下したとき（ステップＳ３でＹｅｓ）、ステップＳ４、ステップＳ５でＹｅｓ、ステップＳ１３でＮｏ、ステップＳ１６でＹｅｓの処理がされる。そして、処理部５０９は、ステップＳ１８の処理（第２の処理）において、上記設定情報やスキャンデータを、待避ユーザー情報記憶部５０５から読み出し、ジョブ制御部５１１に戻す。
【０１１０】
すなわち、処理部５０９は、ステップＳ１７の処理（第１の処理）において、現ユーザーから待避ユーザーとなる第２のユーザーのジョブの設定を示す設定情報を、待避ユーザー情報記憶部５０５に記憶させ、ステップＳ１８の処理（第２の処理）において、待避ユーザーから現ユーザーとなる第２のユーザーの設定情報を待避ユーザー情報記憶部５０５から読み出す。ジョブ制御部５１１は、ステップＳ１８の処理（第２の処理）後、処理部５０９が読み出した設定情報に従って、装置本体１００にジョブを実行させる（ステップＳ７、ステップＳ８）。
【０１１１】
これによれば、第１のユーザーの割り込み後、第２のユーザーが画像形成装置１を再び使用する場合に、第２のユーザーはジョブの設定を省略することができる。
【０１１２】
図５を参照して、処理部５０９が、現ユーザー金額が０であると判断した場合（ステップＳ１０でＹｅｓ）、処理部５０９は、現ユーザー金額記憶部２３に記憶されている現ユーザー金額を消去し、かつ、現ユーザー指紋情報記憶部５０３に記憶されている現ユーザーの指紋情報を消去する（ステップＳ１１）。これにより、画像形成装置１がログオフされる。
【０１１３】
ステップＳ１１の処理により、以下の効果が生じる。残金が０となったユーザーに関して、そのユーザーが有する金額及び指紋情報が消去される。従って、次のユーザーが課金装置２０にお金をチャージし、スタートキー４０５を押下したとき、残金が０となったユーザーが有する金額及び指紋情報が、待避ユーザー金額及び待避ユーザーの指紋情報として、待避ユーザー情報記憶部５０５に移動されることを防止できる。これにより、待避ユーザー情報記憶部５０５に記憶される情報が無制限に増加することを防止できる。従って、不特定多数のユーザーが画像形成装置１を使用する状況でも、画像形成装置１のメモリーの容量を大きくする必要がない。
【０１１４】
残金の返却について説明する。図２の表示制御部５０１は、残金の返却ボタンを含む操作画面を表示部４０３に表示させている。ユーザーが返却ボタンを押下し、かつ、図３のスタートキー４０５を押下する操作が返却操作となる。図４の返却部２７は、返却操作がされた場合、返却操作により、図３の指紋情報生成部４１５が生成した指紋情報が、図２の現ユーザー指紋情報記憶部５０３に記憶されている指紋情報と一致すれば、現ユーザー金額を返却する処理をし、返却操作により指紋情報生成部４１５が生成した指紋情報が、待避ユーザー情報記憶部５０５に記憶されている指紋情報と一致すれば、当該指紋情報と紐付けられている待避ユーザー金額を返却する処理をする。
【０１１５】
このように、返却ボタンが押下され、かつ、スタートキー４０５が押下される操作を残金の返却操作にしている。返却操作により、指紋情報生成部４１５が生成した指紋情報を用いた指紋認証により、残金を返却している。従って、セキュリティーを確保できると共に残金返却専用の指紋情報生成部４１５（指紋センサー）を設ける必要がない。
【０１１６】
強制ログアウトについて説明する。画像形成装置１にタイマーを設け、画像形成装置１が予め定められた期間操作されないとき、ジョブ制御部５１１は、画像形成装置１を強制ログアウトする。タイマーの替わりに、画像形成装置１に人体感知センサーを設けて、そのセンサーが人体を感知しないときに、ジョブ制御部５１１は、画像形成装置１を強制ログアウトしてもよい。
【０１１７】
強制ログアウトする際に、処理部５０９は、現ユーザー金額記憶部２３に記憶されている現ユーザー金額が０でない場合、現ユーザー金額と現ユーザー指紋情報記憶部５０３に記憶されている現ユーザーの指紋情報とを紐付けて、待避ユーザー情報記憶部５０５に移動させる。
【０１１８】
ステップＳ１３やステップＳ１６において、指紋認証ができなかった場合の処理について説明する。これについては、後で説明する第２実施形態にも適用できる。指紋認証ができなかった場合、表示制御部５０１は、スタートキー４０５を再度、押下することを促す画面を、表示部４０３に表示させる。これに従って、ユーザーがスタートキー４０５を押下したときに、指紋情報生成部４１５が生成した指紋情報を用いて、指紋情報判定部５０７は、再度、指紋認証をする（ステップＳ１３、ステップＳ１６）。指紋認証が、予め定められた回数（例えば、３回）できなかった場合、ジョブ制御部５１１は、画像形成装置１の動作をマニュアルモードに移行させる。マニュアルモードでは、課金装置２０にお金をチャージすることなく、画像形成装置１を使用できる。
【０１１９】
マニュアルモードに移行する際に、現ユーザー金額記憶部２３に記憶されている現ユーザー金額が０でない場合、処理部５０９は、以下の処理をする。処理部５０９は、現ユーザー金額と現ユーザー指紋情報記憶部５０３に記憶されている現ユーザーの指紋情報とを紐付けて、待避ユーザー情報記憶部５０５に移動させる。そして、処理部５０９は、通信部６００を利用して、現ユーザー金額及び現ユーザーの指紋情報と一緒に、指紋認証ができないことを、管理者の端末に通知する。管理者の端末に備えられる指紋センサーを用いて生成された指紋情報を用いて、通知されてきた指紋情報に対して指紋認証をし、指紋情報が一致すれば、管理者の端末からその指紋情報に紐付けられている現ユーザー金額を返金する。
【０１２０】
管理者の端末に備えられる指紋センサーで生成された指紋情報は、管理者の端末に備えられる記憶部に記憶させておく。この記憶部に記憶されている指紋情報が予め定められた数を超えれば、指紋情報生成部４１５の感度の劣化の可能性があるので、管理者の端末は、指紋情報生成部４１５の修理を促す表示をする。
【０１２１】
図８に示す第２実施形態に係る画像形成サービスシステム７について説明する。このシステム７は、無線通信ができる携帯端末に、複数のユーザーの指紋情報を予め登録しておき、これらのユーザーを同じアカウントにして、画像形成装置１を利用できるシステムである。
【０１２２】
図７は、第２実施形態に係る画像形成サービスシステム７に適用される画像形成装置５の構成を示すブロック図である。画像形成装置５を構成する要素のうち、図２に示す画像形成装置１と同じ要素については、同一符号を付すことにより、説明を省略する。
【０１２３】
通信部６００は、無線通信部６０９を備える。無線通信部６０９は、１対多の近距離無線通信により、画像形成装置５の近くにいるユーザーの携帯端末と無線通信をする。近距離とは、例えば、数ｍ程度である。無線通信部６０９は、一定時間の間隔で、携帯端末と無線通信をする（半リアルタイム通信）。
【０１２４】
制御部５００は、設定部５１３、及び、待避ユーザー金額記憶部５１５をさらに備える。設定部５１３は、画像形成装置本体である装置本体１００によりジョブが実行された場合に課金されるユーザーを設定する。
【０１２５】
ジョブが実行された場合に課金されないユーザーを待避ユーザーとする。待避ユーザー金額記憶部５１５は、待避ユーザーが有する金額を記憶する。
【０１２６】
図８は、第２実施形態に係る画像形成サービスシステム７を示す模式図である。画像形成サービスシステム７を構成する要素のうち、図４に示す画像形成サービスシステム３と同じ要素については、同一符号を付すことにより、説明を省略する。
【０１２７】
画像形成サービスシステム７は、図７で説明した画像形成装置５と図４で説明した課金装置２０とを備える。ユーザーが課金装置２０に任意の金額を予めチャージすることにより、装置本体１００によるジョブの実行が可能となる。
【０１２８】
画像形成サービスシステム７では、図７の無線通信部６０９と無線通信する携帯端末として、第１の携帯端末３０及び第２の携帯端末４０が例示されている。
【０１２９】
第１の携帯端末３０は、第１の登録部３１を備える。図３のスタートキー４０５を押下する指の指紋を示す情報を指紋情報とする。第１の登録部３１には、複数のユーザーの指紋情報が予め登録されている。複数のユーザーは、画像形成装置５を使用する際に同じアカウントとなるユーザーである。例えば、親である第１のユーザーと、その子供である第２のユーザーが、複数のユーザーである。
【０１３０】
第２の携帯端末４０は、第２の登録部４１を備える。第２の登録部４１には、第１の登録部３１に登録されている複数のユーザー以外のユーザーである第３のユーザーの指紋情報が予め登録されている。
【０１３１】
第２実施形態に係る画像形成サービスシステム７の動作を、図７〜図１１を用いて説明する。図９〜図１１は、その動作を説明するフローチャートである。
【０１３２】
画像形成サービスシステム７の動作について、（１）第１のユーザーが画像形成装置５を使用する場合、（２）第１のユーザーが画像形成装置５の使用中に、第２のユーザーが画像形成装置５を割り込み使用する場合、（３）第１のユーザー又は第２のユーザーが画像形成装置５の使用中に、第３のユーザーが画像形成装置５を割り込み使用する場合に分けて説明する。
【０１３３】
まず、第１のユーザーが画像形成装置５を使用する場合を説明する。課金装置２０に任意の金額がチャージされたか判断する（ステップＴ１）。ここでは、第１のユーザーが課金装置２０に任意の金額をチャージする。任意の金額をチャージする方式として、現金、プリペイカード、電子貨幣がある。
【０１３４】
処理部５０９が、課金装置２０に任意の金額がチャージされていないと判断した場合（ステップＴ１でＮｏ）、ステップＴ１の処理が繰り返される。
【０１３５】
処理部５０９が、課金装置２０に任意の金額がチャージされたと判断した場合（ステップＴ１でＹｅｓ）、処理部５０９は、課金装置２０にチャージされた金額を、チャージ金額記憶部２１に記憶させる（ステップＴ２）。
【０１３６】
ステップＴ２の後、ジョブ制御部５１１は、ジョブの実行に必要な設定（用紙サイズ、印刷枚数等）がされた状態で、図３のスタートキー４０５が押下されたか判断する（ステップＴ３）。ここでは、第１のユーザーがスタートキー４０５を押下する。
【０１３７】
ジョブ制御部５１１が、スタートキー４０５が押下されていないと判断した場合（ステップＴ３でＮｏ）、ステップＴ３の処理が繰り返される。
【０１３８】
ジョブ制御部５１１が、スタートキー４０５が押下されたと判断した場合（ステップＴ３でＹｅｓ）、図３の指紋情報生成部４１５は、スタートキー４０５を押下した指の指紋を読み取り、その指紋を示す指紋情報を生成する（ステップＴ４）。ここでは、第１のユーザーの指紋を示す指紋情報が生成される。
【０１３９】
無線通信部６０９は、１対多の無線通信をしている（ステップＴ５）。無線通信部６０９は、通信圏内に位置する携帯端末と無線通信をすることができる。スタートキー４０５を押下したのは第１のユーザーなので、無線通信部６０９は、第１のユーザーが持っている第１の携帯端末３０と無線通信をすることができる。
【０１４０】
指紋情報判定部５０７は、無線通信部６０９を利用して、第１の登録部３１にアクセスする。指紋情報判定部５０７は、第１の登録部３１に予め登録されている複数の指紋情報の中に、ステップＴ４で生成された指紋情報と一致する指紋情報があるか判定する（ステップＴ６）。すなわち、指紋情報判定部５０７は、複数のユーザーの一人である第１のユーザーが課金装置２０に任意の金額をチャージし（ステップＴ１でＹｅｓ）、かつ、スタートキー４０５を押下した場合（ステップＴ３でＹｅｓ）、無線通信を利用し、第１の登録部３１に登録されている複数のユーザーの指紋情報の中に、指紋情報生成部４１５が生成した第１のユーザーの指紋情報と一致する指紋情報があるか判定する。
【０１４１】
指紋情報判定部５０７が、第１の登録部３１に予め登録されている複数の指紋情報の中に、ステップＴ４で生成された指紋情報と一致する指紋情報がないと判定した場合（ステップＴ６でＮｏ）、処理部５０９は、図５のステップＳ５に移行する。ステップＴ６でＮｏの場合、無線通信部６０９の無線通信圏内に、第１の携帯端末３０が存在しないので、第１の実施形態に係る画像形成サービスシステム３が適用される。
【０１４２】
指紋情報判定部５０７が、第１の登録部３１に予め登録されている複数の指紋情報の中に、ステップＴ４で生成された指紋情報と一致する指紋情報があると判定した場合（ステップＴ６でＹｅｓ）、ジョブ制御部５１１は、画像形成装置５がログイン状態か判断する（ステップＴ７）。ログイン状態とは、ステップＴ１より前に既に課金装置２０にお金がチャージされた状態である。例えば、第１のユーザーが課金装置２０にお金をチャージして、ジョブが実行された後、第１のユーザーが課金装置２０にお金を追加してチャージしたとき、ログイン状態と判断される。また、例えば、第１のユーザーが課金装置２０にお金をチャージして、ジョブが実行された後、第２のユーザーが割り込みをするために、第２のユーザーが課金装置２０にお金をチャージしたとき、ログイン状態と判定される。ここでは、画像形成装置５がログイン状態でない場合、すなわち、課金装置２０にお金がチャージされていない状態で、ステップＴ１で第１のユーザーが任意の金額をチャージした場合で説明する。
【０１４３】
ジョブ制御部５１１は、画像形成装置５がログイン状態でないと判断する（ステップＴ７でＮｏ）。指紋情報判定部５０７は、ステップＴ４で生成された第１のユーザーの指紋情報と一致する指紋情報を登録している携帯端末が複数存在するか判定する（ステップＴ８）。複数存在するとは、第１のユーザーが第１の携帯端末３０に加えて、第３の携帯端末を持っており、第３の携帯端末に第１のユーザーの指紋情報が登録されている場合である。
【０１４４】
指紋情報判定部５０７が、ステップＴ４で生成された第１のユーザーの指紋情報と一致する指紋情報を登録している携帯端末が複数存在すると判定した場合（ステップＴ８でＹｅｓ）、表示制御部５０１は、第１のユーザーに携帯端末を選択させる画面を表示部４０３に表示させる。
【０１４５】
設定部５１３は、携帯端末が選択されたか判断する（ステップＴ９）。設定部５１３が、携帯端末が選択されていないと判断した場合（ステップＴ９でＮｏ）、ステップＴ９の処理が繰り返される。
【０１４６】
設定部５１３が、携帯端末が選択されたと判断した場合（ステップＴ９でＹｅｓ）、又は、指紋情報判定部５０７が、ステップＴ４で生成された第１のユーザーの指紋情報と一致する指紋情報を登録している携帯端末が複数存在しないと判定した場合（ステップＴ８でＮｏ）、ステップＴ１０の処理がされる。
【０１４７】
ステップＴ１０の処理は、以下の通りである。第１の登録部３１には、複数のユーザーが共有する残金を示す残金情報が記憶されている。設定部５１３は、無線通信部６０９を利用して、第１の携帯端末３０から残金情報を取得する。
【０１４８】
設定部５１３は、残金情報で示す残金とステップＴ２でチャージされた金額とを加算し、これを現ユーザー金額とし、この金額を課金対象に設定する（ステップＴ１１）。ここでは、現ユーザー金額は、第１のユーザーが有する金額である。残金情報が存在しない場合、ステップＴ２でチャージされた金額を、現ユーザー金額とし、この金額を課金対象に設定する。このように、設定部５１３は、第１のユーザーの指紋情報と一致する指紋情報があることが判定された場合（ステップＴ６でＹｅｓ）、課金部にチャージされた任意の金額を第１のユーザーが有する金額とし、第１のユーザーが有する金額を課金対象とする第１の設定をする。
【０１４９】
ジョブ制御部５１１は、現ユーザー金額が、ステップＴ３で命令したジョブを実行することによる課金額以上であるか判断する（ステップＴ１２）。ここでは、第１のユーザーが有する金額が、課金額以上であるか判断される。
【０１５０】
ジョブ制御部５１１が、現ユーザー金額が課金額以上と判断した場合（ステップＴ１２でＹｅｓ）、ジョブ制御部５１１は、画像形成装置本体である装置本体１００にジョブを実行させる（ステップＴ１３）。すなわち、ジョブ制御部５１１は、上記第１の設定後、装置本体１００にジョブを実行させる。
【０１５１】
ジョブが実行されると、金額更新部２５は、現ユーザー金額からジョブが実行されることによる課金額を引いて現ユーザー金額を更新する（ステップＴ１４）。例えば、現ユーザー金額が１００円の状態で、課金額が３０円のコピーをした場合、現ユーザー金額は、７０円に更新される。
【０１５２】
設定部５１３は、現ユーザー金額が０であるか判断する（ステップＴ１５）。ここでは、第１のユーザーが有する金額が０であるか判断される。
【０１５３】
設定部５１３が、現ユーザー金額が０と判断した場合（ステップＴ１５でＹｅｓ）、画像形成装置５をログイン状態からログオフ状態にする（ステップＴ１６）。設定部５１３が、現ユーザー金額が０でないと判断した場合（ステップＴ１５でＮｏ）、ステップＴ３に戻る。すなわち、第１のユーザーが画像形成装置５に続けてジョブを実行させる場合、ステップＴ３に戻る。なお、第１のユーザーが課金装置２０にお金を追加してチャージする場合、ステップＴ１に戻る。
【０１５４】
第１のユーザーが、スタートキー４０５が押下すると（ステップＴ３でＹｅｓ）、ステップＴ４、及び、ステップＴ５の処理がされる。第１のユーザーは、画像形成装置５の近くにいるので、無線通信部６０９は、第１の携帯端末３０と無線通信をすることができる。従って、指紋情報判定部５０７は、第１の登録部３１に登録されている複数のユーザーの指紋情報の中に、今回のステップＴ４で生成された指紋情報（第１のユーザーの指紋情報）と一致する指紋情報があると判定する（ステップＴ６でＹｅｓ）。
【０１５５】
第１のユーザーは、課金装置２０にお金を既にチャージしているので、ジョブ制御部５１１は、画像形成装置５がログイン状態と判断し（ステップＴ７でＹｅｓ）、そして、ステップＴ１７へ進む。
【０１５６】
ステップＴ１７において、指紋情報判定部５０７は、ステップＴ６で一致する判定がされた指紋情報が、第１の登録部３１に登録されている複数のユーザーの指紋情報の中のいずれかに該当するか判定する。ステップＴ６で一致する判定がされた指紋情報は、第１のユーザーの指紋情報である。従って、指紋情報判定部５０７が、ステップＴ６で一致する判定がされた指紋情報が、第１の登録部３１に登録されている複数のユーザーの指紋情報の中のいずれかに該当すると判定し（ステップＴ１７でＹｅｓ）、ステップＴ１３へ進む。これにより、第１のユーザーは、画像形成装置５を連続して使用することができる。
【０１５７】
次に、第１のユーザーが画像形成装置５の使用中に、第２のユーザーが画像形成装置５を割り込み使用する場合を説明する。
【０１５８】
第２のユーザーが、スタートキー４０５を押下することにより（ステップＴ３でＹｅｓ）、指紋情報生成部４１５は、第２のユーザーの指紋情報を生成する（ステップＴ４）。
【０１５９】
無線通信部６０９は、１対多の無線通信をしている（ステップＴ５）。無線通信部６０９は、通信圏内に位置する携帯端末と無線通信をすることができる。第１の携帯端末３０を持っている第１のユーザーが、画像形成装置５の近くにいれば、無線通信部６０９は、第１の携帯端末３０と無線通信をすることができる。ここでは、無線通信部６０９が、第１の携帯端末３０と無線通信できる場合で説明する。
【０１６０】
指紋情報判定部５０７は、無線通信部６０９を利用して、第１の登録部３１にアクセスする。指紋情報判定部５０７は、第１の登録部３１に予め登録されている複数の指紋情報の中に、ステップＴ４で生成された指紋情報（第２のユーザーの指紋情報）と一致する指紋情報があるか判定する（ステップＴ６）。すなわち、指紋情報判定部５０７は、第１の設定がされた状態で（ステップＴ１１）、複数のユーザーの一人であり、第１ユーザーと異なる第２のユーザーがスタートキー４０５を押下した場合、無線通信を利用し、第１の登録部３１に登録されている複数のユーザーの指紋情報の中に、指紋情報生成部４１５が生成した第２のユーザーの指紋情報と一致する指紋情報があるか判定する。
【０１６１】
第１の登録部３１には、第２のユーザーの指紋情報が予め登録されているので、指紋情報判定部５０７は、第１の登録部３１に予め登録されている複数の指紋情報の中に、ステップＴ４で生成された指紋情報（第２のユーザーの指紋情報）と一致する指紋情報があると判定する（ステップＴ６でＹｅｓ）。
【０１６２】
ジョブ制御部５１１は、画像形成装置５がログイン状態か判断する（ステップＴ７）。第１のユーザーが課金装置２０にお金をチャージした状態なので、ジョブ制御部５１１は、画像形成装置５がログイン状態と判断する（ステップＴ７でＹｅｓ）。
【０１６３】
指紋情報判定部５０７は、ステップＴ６で一致する判定がされた指紋情報が、第１の登録部３１に登録されている複数のユーザーの指紋情報の中のいずれかに該当するか判定する（ステップＴ１７）。ステップＴ６で一致する判定がされた指紋情報は、第２のユーザーの指紋情報である。従って、指紋情報判定部５０７は、ステップＴ６で一致する判定がされた指紋情報が、第１の登録部３１に登録されている複数のユーザーの指紋情報の中のいずれかに該当すると判定する（ステップＴ１７でＹｅｓ）。
【０１６４】
設定部５１３は、第１のユーザーが有する金額を課金対象とする継続設定をする。そして、ジョブ制御部５１１は、継続設定後、装置本体１００にジョブを実行させる（ステップＴ１３）。これにより、第２のユーザーは、画像形成装置５を割り込み使用することができる。
【０１６５】
以上説明したように、第２実施形態では、第１のユーザー（例えば、親）が有する金額を課金対象とする第１の設定をした状態の場合（ステップＴ１１）、同じ携帯端末に指紋登録されている第２のユーザー（例えば、子）については、第１のユーザーが有する金額を課金対象として、画像形成装置５の割り込み使用をすることができる。よって、第２のユーザーは、課金装置２０にお金をチャージする操作をすることなく、画像形成装置５を割り込み使用することができる。このように、第２実施形態によれば、ユーザーが課金装置２０にチャージして画像形成装置５の使用中に、別のユーザーが画像形成装置５を割り込み使用する場合に利便性を向上させることができる。
【０１６６】
第２のユーザーがスタートキー４０５を押下したとき（ステップＴ３でＹｅｓ）、第１の携帯端末３０を持っている第１のユーザーが、画像形成装置５から離れると、無線通信部６０９は、第１の携帯端末３０と通信できない。この場合、設定部５１３は、現ユーザー金額である第１のユーザーが有する金額を課金対象とするジョブを禁止する設定をする。すなわち、設定部５１３は、上記第１の設定がされた状態で（ステップＴ１１）、第２のユーザーがスタートキー４０５を押下した場合（ステップＴ３でＹｅｓ）、無線通信部６０９が第１の携帯端末３０と通信できないとき、第１のユーザーが有する金額を課金対象とするジョブを禁止する。
【０１６７】
このように第２実施形態によれば、無線通信部６０９が第１の携帯端末３０と無線通信できないとき、すなわち、第１の携帯端末３０を持っている第１のユーザーが画像形成装置５から離れたとき、第２のユーザーは、第１のユーザーが有する金額を課金対象として画像形成装置５を使用することができない。例えば、第１のユーザーが親で、第２のユーザーが子の場合、親の目が届かない範囲で、子が画像形成装置５を勝手に使用することを防止できる。
【０１６８】
次に、第１のユーザー又は第２のユーザーが画像形成装置５の使用中に、第３のユーザーが画像形成装置５を割り込み使用する場合について説明する。第３のユーザーは、第２の携帯端末４０を持っている。
【０１６９】
第１のユーザーが有する金額が現ユーザー金額であり、第１のユーザーが有する金額が課金対象に設定されているとする（ステップＴ１１）。
【０１７０】
第３のユーザーが、課金装置２０に任意の金額をチャージし（ステップＴ１でＹｅｓ）、そして、スタートキー４０５を押下する（ステップＴ３でＹｅｓ）。指紋情報生成部４１５は、第３のユーザーの指紋情報を生成する（ステップＴ４）。
【０１７１】
無線通信部６０９は、１対多の無線通信をしている（ステップＴ５）。無線通信部６０９は、通信圏内に位置する携帯端末と無線通信をすることができる。第２の携帯端末４０を持っている第３のユーザーが、画像形成装置５の近くにいれば、無線通信部６０９は、第２の携帯端末４０と無線通信をすることができる。第３のユーザーがスタートキー４０５を押下したので、無線通信部６０９は、第２の携帯端末４０と無線通信することができる。
【０１７２】
指紋情報判定部５０７は、無線通信部６０９を利用して、第２の登録部４１にアクセスする。指紋情報判定部５０７は、第２の登録部４１に予め登録されている指紋情報の中に、ステップＴ４で生成された指紋情報（第３のユーザーの指紋情報）と一致する指紋情報があるか判定する（ステップＴ６）。すなわち、指紋情報判定部５０７は、第１のユーザーが有する金額が課金対象に設定された状態で、第３のユーザーが課金装置２０に任意の金額をチャージし、かつ、スタートキー４０５を押下した場合、無線通信部６０９と第２の携帯端末４０との無線通信を利用し、第２の登録部４１に登録されている指紋情報が、指紋情報生成部４１５が生成した第３のユーザーの指紋情報と一致するか判定する。
【０１７３】
第２の登録部４１には、第３のユーザーの指紋情報が予め登録されているので、指紋情報判定部５０７は、第２の登録部４１に予め登録されている指紋情報の中に、ステップＴ４で生成された指紋情報（第３のユーザーの指紋情報）と一致する指紋情報があると判定する（ステップＴ６でＹｅｓ）。
【０１７４】
ジョブ制御部５１１は、画像形成装置５がログイン状態か判断する（ステップＴ７）。第１のユーザーが課金装置２０にお金をチャージした状態なので、ジョブ制御部５１１は、画像形成装置５がログイン状態と判断する（ステップＴ７でＹｅｓ）。
【０１７５】
指紋情報判定部５０７は、ステップＴ６で一致する判定がされた指紋情報が、第１の登録部３１に登録されている複数のユーザーの指紋情報の中のいずれかに該当するか判定する（ステップＴ１７）。ステップＴ６で一致する判定がされた指紋情報は、第３のユーザーの指紋情報である。従って、指紋情報判定部５０７は、ステップＴ６で一致する判定がされた指紋情報が、第１の登録部３１に登録されている複数のユーザーの指紋情報の中のいずれかに該当すると判定しない（ステップＴ１７でＮｏ）。
【０１７６】
設定部５１３は、無線通信部６０９が第１の携帯端末３０と無線通信できるか判断する（ステップＴ１８）。すなわち、第１の携帯端末３０を持っている第１のユーザーが画像形成装置５の近くにいるか判断される。設定部５１３が、無線通信部６０９が第１の携帯端末３０と無線通信できると判断した場合（ステップＴ１８でＹｅｓ）、設定部５１３は、第１のユーザーが有する金額を示す金額情報を、無線通信を利用して第１の携帯端末３０に返却する（ステップＴ１９）。
【０１７７】
設定部５１３が、無線通信部６０９が第１の携帯端末３０と無線通信できないと判断した場合（ステップＴ１８でＮｏ）、設定部５１３は、第１のユーザーが有する金額を待避ユーザーが有する金額として待避ユーザー金額記憶部５１５に移動させる（ステップＴ２０）。ステップＴ１９又はステップＴ２０後、ステップＴ８へ移行する。
【０１７８】
指紋情報判定部５０７は、ステップＴ４で生成された第３のユーザーの指紋情報と一致する指紋情報を登録している携帯端末が複数存在するか判定する（ステップＴ８）。複数存在するとは、第３のユーザーが第２の携帯端末４０に加えて、別の携帯端末を持っており、別の携帯端末に第３のユーザーの指紋情報が登録されている場合である。
【０１７９】
指紋情報判定部５０７が、ステップＴ４で生成された第３のユーザーの指紋情報と一致する指紋情報を登録している携帯端末が複数存在すると判定した場合（ステップＴ８でＹｅｓ）、表示制御部５０１は、第３のユーザーに携帯端末を選択させる画面を表示部４０３に表示させる。
【０１８０】
設定部５１３は、携帯端末が選択されたか判断する（ステップＴ９）。設定部５１３が、携帯端末が選択されていないと判断した場合（ステップＴ９でＮｏ）、ステップＴ９の処理が繰り返される。
【０１８１】
設定部５１３が、携帯端末が選択されたと判断した場合（ステップＴ９でＹｅｓ）、又は、指紋情報判定部５０７が、ステップＴ４で生成された第３のユーザーの指紋情報と一致する指紋情報を登録している携帯端末が複数存在しないと判定した場合（ステップＴ８でＮｏ）、ステップＴ１０の処理がされる。
【０１８２】
ステップＴ１０の処理は、以下の通りである。第２の登録部４１には、第３のユーザーが有する残金を示す残金情報が記憶されている。設定部５１３は、無線通信部６０９を利用して、第２の携帯端末４０から残金情報を取得する。
【０１８３】
設定部５１３は、残金情報で示す残金とステップＴ２でチャージされた金額とを加算し、これを現ユーザー金額とし、この金額を課金対象に設定する（ステップＴ１１）。ここでは、現ユーザー金額は、第３のユーザーが有する金額である。残金情報が存在しない場合、ステップＴ２でチャージされた金額を、現ユーザー金額とし、この金額を課金対象に設定する。このように、設定部５１３は、第２の登録部４１に登録されている指紋情報が、第３のユーザーの指紋情報と一致すると判定された場合（ステップＴ６でＹｅｓ）、第３のユーザーがチャージした任意の金額を第３のユーザーが有する金額とし、第１のユーザーが有する金額の替わりに、第３のユーザーが有する金額を課金対象とする第２の設定をする。
【０１８４】
ジョブ制御部５１１は、現ユーザー金額が、ステップＴ３で命令したジョブを実行することによる課金額以上であるか判断する（ステップＴ１２）。ここでは、第３のユーザーが有する金額が、課金額以上であるか判断される。
【０１８５】
ジョブ制御部５１１が、現ユーザー金額が課金額以上と判断した場合（ステップＴ１２でＹｅｓ）、ジョブ制御部５１１は、画像形成装置本体である装置本体１００にジョブを実行させる（ステップＴ１３）。すなわち、ジョブ制御部５１１は、上記第２の設定後、装置本体１００にジョブを実行させる。後のステップは、既に説明したので、その説明を省略する。
【０１８６】
以上説明したように、第２実施形態によれば、第１のユーザー及び第２のユーザーが指紋登録をしている携帯端末（第１の携帯端末３０）と別の携帯端末（第２の携帯端末４０）に指紋登録をしている第３のユーザーは、第１のユーザー又は第２のユーザーが画像形成装置５の使用中に、画像形成装置５を割り込み使用することができる。
【０１８７】
また、第２実施形態によれば、第３のユーザーが、第１のユーザー又は第２のユーザーが画像形成装置５の使用中に割り込む場合、無線通信部６０９が第１の携帯端末３０と無線通信できれば（ステップＴ１８でＹｗｓ）、第１のユーザーが有する金額を示す金額情報を、待避ユーザー金額記憶部５１５に移動せずに、第１の携帯端末３０に返却する（ステップＴ１９）。このように、第３のユーザーが、第１のユーザー又は第２のユーザーが画像形成装置５の使用中に割り込む場合、一律に、第１のユーザーが有する金額を示す金額情報を待避ユーザー金額記憶部５１５に移動させない。無線通信部６０９が第１の携帯端末３０と無線通信できない場合に（ステップＴ１８でＮｏ）、第１のユーザーが有する金額を待避ユーザー金額記憶部５１５に移動させるので（ステップＴ２０）、待避ユーザー金額記憶部５１５の容量を小さくすることができる。従って、不特定多数のユーザーが画像形成装置５を使用する状況でも、画像形成装置５のメモリーの容量を大きくする必要がない。
【０１８８】
残金の返却について、第１のユーザーを例にして説明する。図７の表示制御部５０１は、残金の返却ボタンを含む操作画面を表示部４０３に表示させている。第１のユーザーが返却ボタンを押下し、かつ、図３のスタートキー４０５を押下する操作が返却操作となる。図８の返却部２７は、返却操作がされた場合、無線通信部６０９を利用して第１の携帯端末３０にアクセスする。返却部２７は、返却操作により、図３の指紋情報生成部４１５が生成した指紋情報（ここでは第１のユーザーの指紋情報）が、第１の登録部３１に登録されている第１のユーザーの指紋情報と一致するか判断する。返却部２７は、一致すると判断すれば、無線通信部６０９を利用して、現ユーザー金額（第１のユーザーが有する金額）を示す情報を、残金情報として、第１の携帯端末３０に返却する処理をする。
【０１８９】
このように、返却ボタンが押下され、かつ、スタートキー４０５が押下される操作を残金の返却操作にしている。返却操作により、指紋情報生成部４１５が生成した指紋情報を用いた指紋認証により、残金を返却している。従って、セキュリティーを確保できると共に残金返却専用の指紋情報生成部４１５（指紋センサー）を設ける必要がない。
【０１９０】
次に、強制ログアウトについて説明する。設定部５１３は、無線通信部６０９が、現ユーザーが持っている携帯端末と無線通信ができなくなった場合、現ユーザー金額を、待避ユーザー金額記憶部５１５に移動させて、画像形成装置５を強制ログアウトにする。
【符号の説明】
【０１９１】
１，５  画像形成装置
３，７  画像形成サービスシステム
２３  現ユーザー金額記憶部（現ユーザー情報記憶部の構成要素の一例）
１００  装置本体（画像形成装置本体の一例）
４０５  スタートキー（操作キーの一例）
４１５  指紋情報生成部
５０３  現ユーザー指紋情報記憶部（現ユーザー情報記憶部の構成要素の一例）
【図１】
2015223772.tif 000003
【図２】
2015223772.tif 000004
【図３】
2015223772.tif 000005
【図４】
2015223772.tif 000006
【図５】
2015223772.tif 000007
【図６】
2015223772.tif 000008
【図７】
2015223772.tif 000009
【図８】
2015223772.tif 000010
【図９】
2015223772.tif 000011
【図１０】
2015223772.tif 000012
【図１１】
2015223772.tif 000013